(57)【特許請求の範囲】
【請求項１】
有線で電話回線に接続される電話機と、
有線又は無線で前記電話機に信号を送信可能な操作装置と、
を備え、
前記電話機は、
スピーカと、
前記スピーカを作動させると共に前記電話回線との接続を確立させるためのオンフック用スイッチと、
電話番号を登録可能な登録部と、
前記登録された電話番号を呼び出すためのワンタッチダイヤル用スイッチと、
を備え、
前記操作装置は、
前記スピーカを作動させると共に前記電話回線との接続を確立させるための第１の信号を前記オンフック用スイッチに送信可能な第１の操作スイッチと、
前記登録された電話番号を呼び出すための第２の信号を前記ワンタッチダイヤル用スイッチに送信可能な第２の操作スイッチと、
増幅機能を持たないマイクと、
スライドさせる一動作の中で、前記第１の操作スイッチ及び前記第２のスイッチを物理的に順に操作していく共通スイッチと、
を備え、
前記第２の操作スイッチには前記第２の信号の送信を遅延させるための遅延部が設けられており、
音声は前記マイクを介して電気信号として前記電話機に伝達され、前記電話機から通話相手の電話機に伝達されることを特徴とする電話システム。
【請求項２】
前記操作装置は、前記第１の信号を保持させるラッチ部を更に備えたことを特徴とする請求項１に記載の電話システム。
【請求項３】
スピーカと、前記スピーカを作動させると共に前記電話回線との接続を確立させるためのオンフック用スイッチと、電話番号を登録可能な登録部と、前記登録された電話番号を呼び出すためのワンタッチダイヤル用スイッチと、を有し、有線で電話回線に接続される電話機に有線又は無線により信号を送信可能な操作装置であって、
前記スピーカを作動させると共に前記電話回線との接続を確立させるための第１の信号を前記オンフック用スイッチに送信可能な第１の操作スイッチと、
前記登録された電話番号を呼び出すための第２の信号を前記ワンタッチダイヤル用スイッチに送信可能な第２の操作スイッチと、
増幅機能を持たないマイクと、
スライドさせる一動作の中で、前記第１の操作スイッチ及び前記第２のスイッチを物理的に順に操作していく共通スイッチと、
を備え、
前記第２の操作スイッチには前記第２の信号の送信を遅延させるための遅延部が設けられており、
音声は前記マイクを介して電気信号として前記電話機に伝達され、前記電話機から通話相手の電話機に伝達されることを特徴とする電話機の操作装置。
【請求項４】
前記第１の信号を保持させるラッチ部を更に備えたことを特徴とする請求項３に記載の操作装置。
【請求項５】
有線で電話回線に接続される電話機と、
前記電話機に取り付けられる操作装置と、
を備え、
前記電話機は、
スピーカと、
前記スピーカを作動させると共に前記電話回線との接続を確立させるためにユーザが操作可能なオンフック用スイッチと、
電話番号を登録可能な登録部と、
前記登録された電話番号を呼び出すためにユーザが操作可能なワンタッチダイヤル用スイッチと、
を備え、
前記操作装置は、
前記オンフック用スイッチを操作するために前記オンフック用スイッチに取り付けられる第１の操作部と、
前記第１の操作部を作動させるための第１の信号を前記第1の操作部に送信可能な第１の操作スイッチと、
前記ワンタッチダイヤル用スイッチを操作するために前記ワンタッチダイヤル用スイッチに取り付けられる第２の操作部と、
前記第２の操作部を作動させるための第２の信号を前記第２の操作部に送信可能な第２の操作スイッチと、
増幅機能を持たないマイクと、
スライドさせる一動作の中で、前記第１の操作スイッチ及び前記第２のスイッチを物理的に順に操作していく共通スイッチと、
を備え、
前記第２の操作スイッチには前記第２の信号の送信を遅延させるための遅延部が設けられており、
音声は前記マイクを介して電気信号として前記電話機に伝達され、前記電話機から通話相手の電話機に伝達されることを特徴とする電話システム。
【請求項６】
スピーカと、前記スピーカを作動させると共に前記電話回線との接続を確立させるためにユーザが操作可能なオンフック用スイッチと、電話番号を登録可能な登録部と、前記登録された電話番号を呼び出すためにユーザが操作可能なワンタッチダイヤル用スイッチと、を有し、有線で電話回線に接続される電話機に取り付けられる操作装置であって、
前記オンフック用スイッチを操作するために前記オンフック用スイッチに取り付けられる第１の操作部と、
前記第１の操作部を作動させるための第１の信号を前記第1の操作部に送信可能な第１の操作スイッチと、
前記ワンタッチダイヤル用スイッチを操作するために前記ワンタッチダイヤル用スイッチに取り付けられる第２の操作部と、
前記第２の操作部を作動させるための第２の信号を前記第２の操作部に送信可能な第２の操作スイッチと、
増幅機能を持たないマイクと、
スライドさせる一動作の中で、前記第１の操作スイッチ及び前記第２のスイッチを物理的に順に操作していく共通スイッチと、
を備え、
前記第２の操作スイッチには前記第２の信号の送信を遅延させるための遅延部が設けられており、
音声は前記マイクを介して電気信号として前記電話機に伝達され、前記電話機から通話相手の電話機に伝達されることを特徴とする電話機の操作装置。
【発明の詳細な説明】
【技術分野】
【０００１】
本発明は、有線で電話回線に接続される電話機を用いながらも離れた位置からワンタッチダイヤル通話を行うことの可能な電話システムに関する。
【背景技術】
【０００２】
従来より、携帯電話機のマイクイヤホン端子に接続してワンタッチダイヤル機能を行うことが可能な簡易通話装置が知られている（例えば、特許文献１参照）。
【先行技術文献】
【特許文献】
【０００３】
【特許文献１】特開２００２−２３７８８２号公報
【発明の概要】
【発明が解決しようとする課題】
【０００４】
しかしながら、上記技術では、ワンタッチダイヤル機能を用いるために携帯電話側の機能電極をワンタッチダイヤル用に設定する必要があり、携帯電話に慣れていない高齢者等のユーザがワンタッチダイヤル機能を用いることは非常に困難である。
【０００５】
また、高齢者等からは、慣れ親しんだ固定電話機（有線で電話回線に接続される電話機）を用いて、ベッド等から動かずにワンタッチダイヤル通話を行いたいという要望がある。
【０００６】
そこで、本発明は、固定電話機（有線で電話回線と接続される電話機）を用いながらも離れた位置からワンタッチダイヤル通話を行うことが可能な電話システムを提供することを目的としている。
【課題を解決するための手段】
【０００７】
本発明は、有線で電話回線に接続される電話機と、有線又は無線で前記電話機に信号を送信可能な操作装置と、を備え、前記電話機は、スピーカと、前記スピーカを作動させると共に前記電話回線との接続を確立させるためのオンフック用スイッチと、電話番号を登録可能な登録部と、前記登録された電話番号を呼び出すためのワンタッチダイヤル用スイッチと、を備え、前記操作装置は、前記スピーカを作動させると共に前記電話回線との接続を確立させるための第１の信号を前記オンフック用スイッチに送信可能な第１の操作スイッチと、前記登録された電話番号を呼び出すための第２の信号を前記ワンタッチダイヤル用スイッチに送信可能な第２の操作スイッチと、を備えたことを特徴とする電話システムを提供している。
【０００８】
このような構成によれば、通常の固定電話機であれば、登録された電話番号を呼び出す際に、ユーザが固定電話機の元まで赴き、受話器を上げてからワンタッチダイヤルを押下するという労力が必要になるところ、操作装置を手元に置いておけば、第１の操作スイッチ及び第２の操作スイッチを操作するだけで、オンフックで（固定）電話機に登録された電話番号を呼び出して通話を行うことが可能となる。このような構成は、（固定）電話機２を好む高齢者等が、ベッド等から動かずにワンタッチダイヤル通話を行いたい場合などに特に適している。
【０００９】
また、前記操作装置は、音声を増幅させるためのマイクを更に備えたことが好ましい。
【００１０】
このような構成によれば、電話機から離れた位置からでもワンタッチダイヤル通話を適切に行うことが可能となる。
【００１１】
また、前記操作装置は、前記第１の信号を保持させるラッチ部を更に備えたことが好ましい。
【００１２】
このような構成によれば、第１の操作スイッチを離したとしても電話機の電話回線との接続が解除されてしまうことが防止される。
【００１３】
また、前記操作装置は、前記第１の操作スイッチの操作と前記第２の操作スイッチの操作を一動作で行うための共通スイッチを更に備え、前記第２の操作スイッチには前記第２の信号の送信を遅延させるための遅延部が設けられていることが好ましい。
【００１４】
このような構成によれば、回線が確立する前にワンタッチダイヤル信号を送信することが避けられるため、ワンタッチダイヤルの要求が無効になってしまうことが防止される。
【００１５】
また、本発明の別の観点によれば、スピーカと、前記スピーカを作動させると共に前記電話回線との接続を確立させるためのオンフック用スイッチと、電話番号を登録可能な登録部と、前記登録された電話番号を呼び出すためのワンタッチダイヤル用スイッチと、を有し、有線で電話回線に接続される電話機に有線又は無線により信号を送信可能な操作装置であって、前記スピーカを作動させると共に前記電話回線との接続を確立させるための第１の信号を前記オンフック用スイッチに送信可能な第１の操作スイッチと、前記登録された電話番号を呼び出すための第２の信号を前記ワンタッチダイヤル用スイッチに送信可能な第２の操作スイッチと、を備えたことを特徴とする電話機の操作装置を提供している。
【００１６】
また、本発明の別の観点によれば、有線で電話回線に接続される電話機と、前記電話機に取り付けられる操作装置と、を備え、前記電話機は、スピーカと、前記スピーカを作動させると共に前記電話回線との接続を確立させるためにユーザが操作可能なオンフック用スイッチと、電話番号を登録可能な登録部と、前記登録された電話番号を呼び出すためにユーザが操作可能なワンタッチダイヤル用スイッチと、を備え、前記操作装置は、前記オンフック用スイッチを操作するために前記オンフック用スイッチに取り付けられる第１の操作部と、前記第１の操作部を作動させるための第１の信号を前記第1の操作部に送信可能な第１の操作スイッチと、前記ワンタッチダイヤル用スイッチを操作するために前記ワンタッチダイヤル用スイッチに取り付けられる第２の操作部と、前記第２の操作部を作動させるための第２の信号を前記第２の操作部に送信可能な第２の操作スイッチと、を備えたことを特徴とする電話システムを提供している。
【００１７】
このような構成によれば、既に家庭等に設置してある固定電話機をそのまま利用することも可能となる。
【００１８】
また、本発明の別の観点によれば、スピーカと、前記スピーカを作動させると共に前記電話回線との接続を確立させるためにユーザが操作可能なオンフック用スイッチと、電話番号を登録可能な登録部と、前記登録された電話番号を呼び出すためにユーザが操作可能なワンタッチダイヤル用スイッチと、を有し、有線で電話回線に接続される電話機に取り付けられる操作装置であって、前記オンフック用スイッチを操作するために前記オンフック用スイッチに取り付けられる第１の操作部と、前記第１の操作部を作動させるための第１の信号を前記第1の操作部に送信可能な第１の操作スイッチと、前記ワンタッチダイヤル用スイッチを操作するために前記ワンタッチダイヤル用スイッチに取り付けられる第２の操作部と、前記第２の操作部を作動させるための第２の信号を前記第２の操作部に送信可能な第２の操作スイッチと、を備えたことを特徴とする電話機の操作装置を提供している。
【発明の効果】
【００１９】
本発明の電話システムによれば、固定電話機（有線で電話回線と接続される電話機）を用いながらも離れた距離からワンタッチダイヤル通話を行うことが可能となる。
【図面の簡単な説明】
【００２０】
【図１】本発明の第１の実施の形態による電話システムの説明図
【図２】本発明の第１の実施の形態による電話システムの概略回路図
【図３】本発明の第１の実施の形態によるラッチ機能の説明図
【図４】本発明の第２の実施の形態による電話システムの説明図
【図５】本発明の変形例による遅延部の説明図
【発明を実施するための形態】
【００２１】
以下、本発明の第１の実施の形態による電話システム１について、図１−図３を参照して説明する。
【００２２】
電話システム１は、図1に示すように、有線で電話回線に接続される電話機２（いわゆる固定電話機）と、有線又は無線で電話機２に信号を送信可能な操作装置３と、を備えている。本実施の形態では、操作装置３は、有線で電話機２に信号を送信するものとする。
【００２３】
電話機２は、図１に示すように、スピーカ２１と、オンフック用スイッチ２２と、第1の電話機側端子２３と、登録部２４と、ワンタッチダイヤル用スイッチ２５と、第２の電話機側端子２６と、を備えている。
【００２４】
スピーカ２１は、オンフックでの通話の際に、通話相手の音声を出力すると共に、電話機２のユーザの音声を拾って電気信号として通話相手の電話機に伝達する。なお、「電話機２のユーザの音声を拾って電気信号として通話相手の電話機に伝達する」機能は、別途備えたマイクによって行っても良い。
【００２５】
オンフック用スイッチ２２は、スピーカ２１作動させると共に電話機２の電話回線との接続を確立させるためのものである。本実施の形態では、図２に示すように、オンフック用スイッチ２２を押下して配線２２a−２２ｂ間が短絡されることで、電話機２内の制御部２２ｃが、スピーカ２１を作動させると共に電話機２の電話回線との接続を確立させるものとする。電話回線との接続が確立されることで、ダイヤル可能な状態となる。
【００２６】
第1の電話機側端子２３は、後述する操作装置３のケーブルをオンフック用スイッチ２２に接続するためのものである。本実施の形態では、図２に示すように、第1の電話機側端子２３の接続端子２３a及び２３ｂが、配線２２a及び２２ｂにそれぞれ接続されているものとする。
【００２７】
登録部２４は、電話番号を登録可能である。本実施の形態では、ユーザがワンタッチダイヤルを希望する電話番号が、公知の方法により登録されているものとする。
【００２８】
ワンタッチダイヤル用スイッチ２５は、登録部２４に登録された電話番号を呼び出すためのものである。本実施の形態では、図２に示すように、ワンタッチダイヤル用スイッチ２５を押下して配線２５a−２５ｂ間が短絡されることで、電話機２内の制御部２５ｃが、登録部２４に登録された電話番号を呼び出すものとする。
【００２９】
第２の電話機側端子２６は、後述する操作装置３のケーブルをワンタッチダイヤル用スイッチ２５に接続するためのものである。本実施の形態では、図２に示すように、第２の電話機側端子２６の接続端子２６a及び２６ｂが、配線２５a及び２５ｂにそれぞれ接続されているものとする。
【００３０】
操作装置３は、図２に示すように、第１の操作スイッチ３１と、第１のケーブル３２と、第１の操作側端子３３と、第２の操作スイッチ３４と、第２のケーブル３５と、第２の操作側端子３６と、マイク３７と、を備えている。
【００３１】
第１の操作スイッチ３１は、スピーカ２１を作動させると共に電話機２の電話回線との接続を確立させるための第１の信号をオンフック用スイッチ２２に送信可能である。本実施の形態では、第１のケーブル３２及び第１の操作側端子３３を介して第１の信号を送信する。
【００３２】
なお、第１の信号の送信が停止されると、電話機２の電話回線との接続は解除されてしまう。そこで、本実施の形態では、第１の操作スイッチ３１は、第１の信号を保持させるラッチ機能（ラッチ部）を備えている。ラッチ機能としては、電子回路を用いても良いし、機械的構造を用いても良いが、機械的構造を用いる場合には、例えば、図３に示すように、第１の操作スイッチ３１は、スライド部３１Ａと、スイッチ部３１Ｂと、を備え、スライド部３１Ａをスライドさせることで、スイッチ部３１Ｂの押下状態を保持する構成等が考えられる。
【００３３】
第１のケーブル３２は、図２に示すように、一対のケーブル線３２a及び３２ｂを備えており、第１の操作スイッチ３１が押下されることで、一対のケーブル線３２a及び３２ｂの一端側同士が接続される。
【００３４】
第１の操作側端子３３は、ケーブル線３２a及び３２ｂに接続されており、第１の電話機側端子２３に勘合可能である。本実施の形態では、第１の操作側端子３３と第１の電話機側端子２３を勘合させることで、ケーブル線３２ａ及び３２ｂにそれぞれ接続された第１の操作側端子３３の接続端子３３a及び３３ｂが、第１の電話機側端子２３の接続端子２３a及び２３ｂにそれぞれ接続されるものとする。
【００３５】
第２の操作スイッチ３４は、登録部２４に登録された電話番号を呼び出すための第２の信号をワンタッチダイヤル用スイッチ２５に送信可能である。本実施の形態では、第２のケーブル３５及び第２の操作側端子３６を介して第２の信号を送信する。
【００３６】
なお、第２の信号に関しては、一度送信されれば良いので、第２の操作スイッチ３４は、第１の操作スイッチ３１と異なり、第２の信号を保持させるラッチ機能（ラッチ部）を備えていなくても良い。
【００３７】
第２のケーブル３５は、図２に示すように、一対のケーブル線３５a及び３５ｂを備えており、第２の操作スイッチ３４が押下されることで、一対のケーブル線３５a及び３５ｂの一端側同士が接続される。
【００３８】
第２の操作側端子３６は、ケーブル線３５a及び３５ｂに接続されており、第２の電話機側端子２６に勘合可能である。本実施の形態では、第２の操作側端子３６と第２の電話機側端子２６を勘合させることで、ケーブル線３５ａ及び３５ｂにそれぞれ接続された第２の操作側端子３６の接続端子３６a及び３６ｂが、第２の電話機側端子２６の接続端子２６a及び２６ｂにそれぞれ接続されるものとする。
【００３９】
マイク３７は、ユーザが発した音声を増幅させるためのものである。本実施の形態では、振動板、増幅器、バッテリーを備えているものとする。
【００４０】
以上の構成の下、第１の操作側端子３３と第１の電話機側端子２３を勘合させることで、操作装置３側の一対のケーブル線３２a及び３２ｂの他端側は、配線２２a及び２２ｂにそれぞれ接続され、第２の操作側端子３６と第２の電話機側端子２６を勘合させることで、一対のケーブル線３５a及び３５ｂの他端側は、配線２５a及び２５ｂにそれぞれ接続されることとなる。
【００４１】
この状態でユーザが操作装置３の第１の操作スイッチ３１を押下すると、第１のケーブル３２の一対のケーブル線３２a及び３２ｂの一端側同士が接続される。これにより、配線２２a−２２ｂ間が短絡されることとなるので、スピーカ２１が作動され、オンフックで電話回線との接続が確立することとなる。なお、第１の操作スイッチ３１の操作により配線２２a−２２ｂ間を短絡させることが、本発明の第１の信号に相当する。
【００４２】
続いて、ユーザが操作装置３の第２の操作スイッチ３４を押下すると、第２のケーブル３５の一対のケーブル線３５a及び３５ｂの一端側同士が接続される。これにより、配線２５a−２５ｂ間が短絡されることとなるので、登録部２４に登録された電話番号が呼び出されることとなる。なお、第２の操作スイッチ３４の操作により配線２５a−２５ｂ間を短絡させることが、本発明の第２の信号に相当する。
【００４３】
呼び出された電話番号の相手が電話に出た後は、スピーカ２１から出力される相手の音声と、マイク３７から出力されるユーザの音声と、で通話が行われることとなる。この際、マイク３７から出力された増幅された音声は、スピーカ２１に拾われることとなる。通話を終了する際には、配線２２a−２２ｂ間の短絡を解除させるために、第１の操作スイッチ３１を操作する。例えば、図３に示す例の場合、スライド部３１Ａを上方へ戻すこととなる。
【００４４】
以上説明したように、本実施の形態による電話システム１及び操作装置３では、スピーカ２１を作動させると共に電話機２の電話回線との接続を確立させるための第１の信号をオンフック用スイッチ２２に送信可能な第１の操作スイッチ３１と、登録部２４に登録された電話番号を呼び出すための第２の信号をワンタッチダイヤル用スイッチ２５に送信可能な第２の操作スイッチ３４と、を備えている。
【００４５】
このような構成によれば、通常の固定電話機であれば、登録された電話番号を呼び出す際に、ユーザが固定電話機の元まで赴き、受話器を上げてからワンタッチダイヤルを押下するという労力が必要になるところ、操作装置３を手元に置いておけば、第１の操作スイッチ３１及び第２の操作スイッチ３４を操作するだけで、オンフックで（固定）電話機２に登録された電話番号を呼び出して通話を行うことが可能となる。このような構成は、（固定）電話機２を好む高齢者等が、ベッド等から動かずにワンタッチダイヤル通話を行いたい場合などに特に適している。
【００４６】
また、本発明の第１の実施の形態による電話システム１及び操作装置３によれば、操作装置３は、音声を増幅させるためのマイク３７を更に備えている。
【００４７】
このような構成によれば、電話機２から離れた位置からでもワンタッチダイヤル通話を適切に行うことが可能となる。
【００４８】
また、本発明の第１の実施の形態による電話システム１及び操作装置３によれば、第１の操作スイッチ３１は、第１の信号を保持させるラッチ機能（ラッチ部）を備えている。
【００４９】
このような構成によれば、第１の操作スイッチ３１を離したとしても電話機２の電話回線との接続が解除されてしまうことが防止される。
【００５０】
続いて、本発明の第２の実施の形態による電話システム１０について図４を参照して説明する。
【００５１】
第１の実施の形態による電話システム１では、第1の電話機側端子２３（第２の電話機側端子２６）を電話機２に設け、第1の電話機側端子２３（第２の電話機側端子２６）に配線２２a及び２２ｂ（配線２５a及び２５ｂ）をそれぞれ接続する必要があるため、家庭等に設置してある（固定）電話機２をそのまま利用することはできない。
【００５２】
そこで、本実施の形態では、家庭等に設置してある（固定）電話機２をそのまま利用することが可能な電話システム１０を提供する。
【００５３】
なお、以下の説明では、第１の実施の形態と同一の構成については同一の符号を付し、その説明を省略する。
【００５４】
本実施の形態による電話機２０は、図４に示すように、第1の電話機側端子２３と、第２の電話機側端子２６と、を備えていない。
【００５５】
一方、操作装置３０は、図４に示すように、第１の操作スイッチ３１０と、第１のケーブル３２０と、第１の操作部３３０と、第２の操作スイッチ３４０と、第２のケーブル３５０と、第２の操作部３６０と、マイク３７と、を備えている。
【００５６】
第１の操作スイッチ３１０は、バッテリーを内蔵しており、押下されると、第１の操作部３３０を作動させるための第１の信号を送信する。
【００５７】
第１のケーブル３２０は、第１の実施の形態のように一対のケーブルである必要はなく、第１の信号を第１の操作スイッチ３１０から第１の操作部３３０へ送信可能なものであれば良い。
【００５８】
第１の操作部３３０は、オンフック用スイッチ２２を物理的に操作する、いわゆる”プッシュロボット”である。第１の操作部３３０としては、図４に示すようなコの字形状のものが考えられ、この場合、内蔵されたバッテリーから駆動電力を供給されて、コの字の間隔を狭めるように作動する。従って、オンフック用スイッチ２２を挟むように第１の操作部３３０を取り付けておくことで、第１の信号が送信された際にオンフック用スイッチ２２が押下されることとなる。
【００５９】
なお、本実施の形態では、通常の（固定）電話機２０は、オンフック用スイッチ２２が押下されると、再度オンフック用スイッチ２２が押下されるまでオンフック状態をラッチする機能を有している。従って、本実施の形態では、第１の実施の形態と異なり、第１の操作スイッチ３１０は、第１の信号を保持させるラッチ機能（ラッチ部）を備えていなくても良い。
【００６０】
第２の操作スイッチ３４０は、バッテリーを内蔵しており、押下されると、第２の操作部３６０を作動させるための第２の信号を送信する。
【００６１】
第２のケーブル３５０は、第１の実施の形態のように一対のケーブルである必要はなく、第２の信号を第２の操作スイッチ３４０から第２の操作部３６０へ送信可能なものであれば良い。
【００６２】
第２の操作部３６０は、ワンタッチダイヤル用スイッチ２５を物理的に操作する、いわゆる”プッシュロボット”である。第２の操作部３６０としては、図４に示すようなコの字形状のものが考えられ、この場合、内蔵されたバッテリーから駆動電力を供給されて、コの字の間隔を狭めるように作動する。従って、ワンタッチダイヤル用スイッチ２５を挟むように第２の操作部３６０を取り付けておくことで、第２の信号が送信された際にワンタッチダイヤル用スイッチ２５が押下されることとなる。
【００６３】
以上の構成の下、ユーザが操作装置３０の第１の操作スイッチ３１０を押下すると、第１の信号が第１の操作部３３０に送信され、第１の操作部３３０が作動してオンフック用スイッチ２２を押下する。これにより、スピーカ２１が作動されると共に電話機２０の電話回線との接続が確立することとなる。
【００６４】
続いて、ユーザが操作装置３０の第２の操作スイッチ３４０を押下すると、第２の信号が第２の操作部３６０に送信され、第２の操作部３６０が作動してワンタッチダイヤル用スイッチ２５を押下する。これにより、登録部２４に登録された電話番号が呼び出されることとなる。
【００６５】
以上説明したように、本実施の形態による電話システム１０及び操作装置３０では、オンフック用スイッチ２２を操作するためにオンフック用スイッチ２２に取り付けられる第１の操作部３３０と、第１の操作部３３０を作動させるための第１の信号を第１の操作部３３０に送信可能な第１の操作スイッチ３１０と、ワンタッチダイヤル用スイッチ２５を操作するためにワンタッチダイヤル用スイッチ２５に取り付けられる第２の操作部３６０と、第２の操作部３６０を作動させるための第２の信号を第２の操作部３６０に送信可能な第２の操作スイッチ３４０と、を備えている。
【００６６】
このような構成によれば、第１の実施の形態における効果に加え、既に家庭等に設置してある固定電話機をそのまま利用することも可能となる。
【００６７】
尚、本発明の電話システム及び操作装置は、上述した実施の形態に限定されず、特許請求の範囲に記載した範囲で種々の変形や改良が可能である。
【００６８】
例えば、第１の実施の形態と第２の実施の形態を同時に実現しても良い。
【００６９】
また、上記実施の形態では、操作装置３０（３００）と電話機２（２０）を有線で接続したが、無線で接続しても良い。有線の場合には、安価に電話システム１（１００）を製造することができると共に、操作装置３０（３００）を紛失しないというメリットがあり、無線の場合には、かなり離れた位置からでもワンタッチダイヤル通話を行うことができるというメリットがある。
【００７０】
また、第１の実施の形態では、第１の操作スイッチ３１（第２の操作スイッチ３４）を押下することで配線２２ａ−２２ｂ（２５a−２５ｂ）間を短絡させることが、“第１の信号（第２の信号）の送信”に相当したが、このような構成に限らず、電話機２の構成に応じた方法で第１の信号（第２の信号）を送信すれば良い。
【００７１】
また、上記実施の形態では、マイク３７から出力された増幅された音声は、スピーカ２１で拾われたが、スピーカ２１に電気信号を伝達する構成であっても良い。この場合には、マイク３７に増幅機能を持たせず、マイク３７からの電気信号をスピーカ２１の増幅器に有線又は有線で送信する方法が考えられる。また、マイク３７で増幅する方式と、スピーカ２１で増幅する方式と、を選択可能なスイッチを更に設けても良い。
【００７２】
また、上記実施の形態では、第１の操作スイッチ３１（３１０）と第２の操作部３４（３４０）のそれぞれを押下する構造であったが、一動作で両者を押下できる構造であることが好ましい。
【００７３】
この場合、図５に示すように、共通スイッチ４をスライドさせることで、一動作で第１の操作スイッチ３１（３１０）→第２の操作部スイッチ（３４０）を操作する構成が考えられるが、この構成の場合、第１の操作スイッチ３１（３１０）の操作から第２のスイッチ３４（３４０）の操作に瞬間的に移行してしまうことが考えられる。
【００７４】
一方、第１の操作スイッチ３１（３１０）を操作したとしても、電話回線との接続を確立させるための信号が交換機に届くまでには多少の時間を要する。
【００７５】
従って、第１の操作スイッチ３１（３１０）の操作から第２の操作スイッチ３４（３４０）の操作に瞬間的に移行してしまうと、電話回線との接続が確立する前にワンタッチダイヤル用スイッチ２５の押下が行われたことになってしまい、ワンタッチダイヤルの要求が無効になってしまう。
【００７６】
そこで、このような問題を解決するために、図５に示すように、第２の信号の送信を遅延させるための遅延部５を第２の操作部３４（３４０）に設けても良い。なお、スライド型の構造に限らず、ワンプッシュで第１の操作スイッチ３１（３１０）及び第２の操作部３４（３４０）を操作する構造の場合にも、一動作での押下になるので、遅延部５を設けると効果的である。また、遅延部５は、電子回路に限らず、機械的構造によって遅延させても良い。
【符号の説明】
【００７７】
１      電話システム
２      電話機
３      操作装置
２１    スピーカ
２２    オンフック用スイッチ
２４    登録部
２５    ワンタッチダイヤル用スイッチ
３１    第１の操作スイッチ
３４    第２の操作スイッチ
３７    マイク
４      共通スイッチ
５      遅延部
【要約】      （修正有）【課題】有線で電話回線に接続される電話機を用いながらも離れた位置からワンタッチダイヤル通話を行うことの可能な電話システムを提供する。【解決手段】電話システム１は、電話機２と、操作装置３と、を備えている。電話機２は、スピーカ２１と、スピーカ２１を作動させると共に電話回線との接続を確立させるためのオンフック用スイッチ２２と、電話番号を登録可能な登録部２４と、登録された電話番号を呼び出すためのワンタッチダイヤル用スイッチ２５と、を備えている。操作装置３は、スピーカ２１を作動させると共に電話回線との接続を確立させるための第１の信号をオンフック用スイッチ２２に送信可能な第１の操作スイッチと、登録された電話番号を呼び出すための第２の信号をワンタッチダイヤル用スイッチ２５に送信可能な第２の操作スイッチと、を備えている。【選択図】図１【図１】
0006839466.tif 000002
【図２】
0006839466.tif 000003
【図３】
0006839466.tif 000004
【図４】
0006839466.tif 000005
【図５】
0006839466.tif 000006